(57)【要約】【課題】本発明は、小型化が可能で小規模生産に適した発泡成形品の製造装置を提供する。【解決手段】発泡成形品の製造装置１に設けられ金型収容部１２の昇降機構Ｓは、金型収容部１２の下方に位置して、金型収容部１２を昇降させる足踏みレバー２０と、足踏みレバー２０の作用部２２と金型収容部１２とを連結する連結レバー１４と、を備えている。連結レバー１４の一端は金型収容部１２に軸支され、連結レバー１４の他端は、足踏みレバー２０の作用部２２に軸支されている。この発泡成形品の製造装置１は、足踏み部２１を力点としたテコの原理で金型収容部１２を上昇させることができる。従って、モータやエアーピストンなどの動力を利用することなく、人力によって重い金型Ｋを上昇させることができる。【選択図】図１
2013014038.tif 000002
【特許請求の範囲】
【請求項１】
金型内に発泡液を注入することで発泡成形品を製造する装置において、
上部に配置されると共に、前記金型に発泡液を注入するノズルを有する発泡液注入ヘッドと、
前記発泡注入ヘッドの下方に配置されると共に、前記金型を収容する金型収容部と、
前記金型収容部を昇降させる足踏みレバーと、を備え、
前記足踏みレバーは、一端に設けられた足踏み部と、他端で前記金型収容部に連結された作用部と、前記作用部側に位置する支点と、を有することを特徴とする発泡成形品の製造装置。
【請求項２】
前記足踏みレバーのロックを行うロック機構は、
前記金型収容部を上下方向に摺動自在に支持する架台のベース部と前記作用部との間で延在すると共に、前記ベース部側に一端が軸支された第１のリンク部と、一端側が前記作用部側に軸支され、他端側が前記第１のリンク部側に軸支された前記第２のリンク部と、からなるアーム部と、
前記第１のリンク部と前記第２のリンク部とを、デッドポイントを超えた位置で保持する保持部と、を備えたことを特徴とする請求項１記載の発泡成形品の製造装置。
【請求項３】
前記足踏みレバーのロック解除を行うロック解除レバーは、前記アーム部の前記第１のリンク部と前記第２のリンク部との何れか一方に連結され、前記デッドポイントを超える前の状態に戻すように引かれることを特徴とする請求項２記載の発泡成形品の製造装置。
【請求項４】
前記第１のリンク部と前記第２のリンク部との何れか一方と前記架台の前記ベース部との間を連結する引張りバネを有し、前記引張りバネによって前記アーム部を前記保持部に押し当てることを特徴とする請求項２又は３記載の発泡成形品の製造装置。
【発明の詳細な説明】
【技術分野】
【０００１】
本発明は、例えば車両用座席に備えるヘッドレストやアームレストなどの小物の発泡成形に利用される製造装置に関するものである。
【背景技術】
【０００２】
一般に、発泡成形品の製造装置は、特開平８−１５０６２７号公報に記載されているように、ターンテーブル方式が利用される。ターンテーブルの各ステーションでは、金型内に表皮をセットする工程と、金型の内部にウレタンを注入する工程と、成熟（キュア）工程と、脱型工程とが、実行され、ターンテーブルを所定時間のインターバルをもって回転させることで、効率良く発泡成形品を製造している。
【先行技術文献】
【特許文献】
【０００３】
【特許文献１】特開平８−１５０６２７号公報
【発明の概要】
【発明が解決しようとする課題】
【０００４】
しかしながら、前述した従来の発泡成形品の製造装置は、効率良く大量に発泡成形品を製造することは可能であるが、大型化するので小規模生産には不向きであるといった問題点がある。
【０００５】
本発明は、小型化が可能で小規模生産に適した発泡成形品の製造装置を提供することを目的とする。
【課題を解決するための手段】
【０００６】
本発明は、金型内に発泡液を注入することで発泡成形品を製造する装置において、
上部に配置されると共に、前記金型に発泡液を注入するノズルを有する発泡液注入ヘッドと、
前記発泡注入ヘッドの下方に配置されると共に、前記金型を収容する金型収容部と、
前記金型収容部を昇降させる足踏みレバーと、を備え、
前記足踏みレバーは、一端に設けられた足踏み部と、他端で前記金型収容部に連結された作用部と、前記作用部側に位置する支点と、を有することを特徴とする。
【０００７】
この発泡成形品の製造装置は、発泡液注入ヘッドの下方に金型収容部を備え、この金型収容部を昇降させる足踏みレバーは、一端に設けられた足踏み部と、他端で金型収容部に連結された作用部と、作用部側に位置する支点と、を有しているので、足踏み部を力点としたテコの原理で金型収容部を上昇させることができる。従って、モータやエアーピストンなどの動力を利用することなく、人力によって重い金型を上昇させることができ、自重によって金型を降下させることができる。よって、本発明は、発泡成形品の製造装置の構造を簡易化して、小規模生産に適した小型化を図ることができる。
【０００８】
また、前記足踏みレバーのロックを行うロック機構は、
前記金型収容部を上下方向に摺動自在に支持する架台のベース部と前記作用部との間で延在すると共に、前記ベース部側に一端が軸支された第１のリンク部と、一端側が前記作用部側に軸支され、他端側が前記第１のリンク部側に軸支された前記第２のリンク部と、からなるアーム部と、
前記第１のリンク部と前記第２のリンク部とを、デッドポイントを超えた位置で保持する保持部と、を備えると好適である。
アーム部は、デッドポイントを超えた位置で保持部に当接することで、足踏みレバーは、ロック状態に維持することができる。これによって、ロック状態を安定させることができる。
【０００９】
また、前記足踏みレバーのロック解除を行うロック解除レバーは、前記アーム部の前記第１のリンク部と前記第２のリンク部との何れか一方に連結され、前記デッドポイントを超える前の状態に戻すように引かれると好適である。
保持部によって保持されたアーム部は、ロック解除レバーを引くことで、第１のリンク部と第２のリンク部との何れか一方が、デッドポイントを超える前の状態に向けて回動し、これによって、足踏みレバーは、ロック解除状態になり、自重によって金型を容易に降下させることができる。
【００１０】
また、前記第１のリンク部と前記第２のリンク部との何れか一方と前記架台の前記ベース部との間を連結する引張りバネを有し、前記引張りバネによって前記アーム部を前記保持部に押し当てると好適である。
このような構成を採用すると、引張りバネの付勢力によって、アーム部を、デッドポイントを超えた位置で確実に誘い込むことができ、アーム部と保持部との当接状態を確実に維持させることができる。これによって、不用意にロックが解除されることがなく、発泡液注入工程で、金型内に発泡液を確実に注入させることができる。
【発明の効果】
【００１１】
本発明によれば、発泡成形品の製造装置の構造を簡易化して、小規模生産に適した小型化を図ることができる。
【図面の簡単な説明】
【００１２】
【図１】本発明に係る発泡成形品の製造装置の第１の実施形態を示す側面図である。
【図２】本発明に係る発泡成形品の製造装置の第２の実施形態を示す斜視図である。
【図３】図２に示された装置本体部の側面図である。
【図４】ロック機構及びロック解除レバーを示す斜視図である。
【図５】足踏みレバーのロック状態を示す側面図である。
【図６】金型収容部の降下状態を示す側面図である。
【図７】足踏みレバーのロック解除状態を示す側面図である。
【発明を実施するための形態】
【００１３】
以下、図面を参照しつつ本発明に係る発泡成形品の製造装置の好適な実施形態について詳細に説明する。
【００１４】
[第１実施形態]
図１に示されるように、発泡成形品の製造装置１は、発泡液を貯留するタンク２及び供給ポンプ３を備えた発泡液供給部４と、発泡液供給用のホース５を介して接続される装置本体部１０と、で構成されている。
【００１５】
装置本体部１０は、床面に設置されるベース部１１ａとベース部１１ａから立設されるスタンド部１１ｂとを備えた架台１１と、上部で架台１１のスタンド部１１ｂに固定された発泡液注入ヘッド９と、発泡液注入ヘッド９の下方で架台１１のスタンド部１１ｂに昇降自在に取り付けられた金型収容部１２と、金型収容部１２を昇降させる昇降機構Ｓと、を備えている。
【００１６】
発泡液注入ヘッド９は、所定圧の発泡液を貯留するためのシリンダからなる。そして、発泡液を発泡液注入ヘッド９の下部には、発泡液を注入するためのノズル９ａが設けられ、発泡液注入ヘッド９の上部には、発泡液供給用のホース５が接続されている。
【００１７】
金型収容部１２は、車両のヘッドレストやアームレストなどの小物の発泡成形に利用される金型Ｋを格納するためにボックス状に形成され、金型収容部１２の前部には、下端のヒンジ部６を支点として開閉自在な蓋部１２Ａが設けられている。
【００１８】
この蓋部１２Ａは、上下に分離され、上側の蓋部１２ａと下側の蓋部１２ｂとはヒンジ部７により連結され、上側の蓋部１２ａを大きく開けることができる。蓋部１２Ａを開けることで、上方から金型Ｋを金型収容部１２内に滑り込ませるようにセットすることができる。さらに、金型収容部１２は、スタンド部１１ｂに設けられたガイドレール１３によって上下方向に摺動される。
【００１９】
昇降機構Ｓは、金型収容部１２の下方に位置して、金型収容部１２を昇降させる足踏みレバー２０と、足踏みレバー２０の作用部２２と金型収容部１２とを連結する連結レバー１４と、を備えている。連結レバー１４の一端は金型収容部１２に軸支され、連結レバー１４の他端は、足踏みレバー２０の作用部２２に軸支されている。
【００２０】
足踏みレバー２０は、一端に設けられた板状の足踏み部２１と、他端で金型収容部１２に連結レバー１４を介して連結された作用部２２と、ベース部１１ａから立設された軸受け部１５に軸支された支点２３と、を有し、この支点２３を、作用部２２側に位置させることで、テコの原理を利用することができる。
【００２１】
このような足踏みレバー２０の足踏み部２１を足で踏むことで、金型収容部１２を動力を利用することなしに容易に上昇させることができる。また、金型収容部１２が上昇することで、金型Ｋ内にノズル９ａが挿入され、金型Ｋ内に発泡液（例えばウレタンフォーム）を装填する準備が整う。
【００２２】
その後、金型Ｋのキャビティ内にノズル９ａから発泡液が注入され、注入完了後、足踏み部２１から足を離すことで、金型Ｋの自重によって金型収容部１２が自然降下する。そして、金型Ｋ内でウレタンを成熟（キュア）させた後、蓋部１２ａを開いて、金型収容部１２内から金型Ｋが取り出される。
【００２３】
この発泡成形品の製造装置１は、足踏み部２１を力点としたテコの原理で金型収容部１２を上昇させることができる。従って、モータやエアーピストンなどの動力を利用することなく、人力によって重い金型Ｋを上昇させることができ、自重によって金型Ｋを降下させることができる。よって、発泡成形品の製造装置１の構造が簡易化され、小規模生産に適した小型化を図ることができる。
【００２４】
[第２実施形態]
第２の実施形態に係わる発泡成形品の製造装置３０について説明する。なお、第１の実施形態に係わる発泡成形品の製造装置１と同等な構成については、同一符号を付して、その説明は省略する。
【００２５】
図２及び図３に示されるように、発泡成形品の製造装置３０の装置本体部３１は、ガイドレール１３の上端と下端にエンドストッパ３２を有している。そして、ガイドレール１３に沿って昇降する金型収容部１２と架台１１のスタンド部１１ｂとの間は、ガススプリング３３により連結されている。ガススプリング３３は、金型Ｋの収容状態で金型収容部１２がその自重により急激に降下しないような付勢力を発生させている。
【００２６】
発泡成形品の製造装置３０は、金型収容部１２を上昇位置でロックするためのロック機構Ｒと、金型収容部１２のロック状態を解除するロック解除レバーＬと、を備えている。
【００２７】
図４及び図５に示されるように、ロック機構Ｒは、架台１１のベース部１１ａと作用部２２との間で延在するアーム部４０と、アーム部４０の関節部４０ａがデッドポイントを超えた位置でアーム部４０を保持する保持部５０と、を備えている。
【００２８】
アーム部４０は、ベース部１１ａ側に一端が軸支された第１のリンク部４１と、一端側が作用部２２側に軸支され、他端側が第１のリンク部４１側に軸支された第２のリンク部４２とからなり、第１のリンク部４１と第２のリンク部４２とは、軸支された関節部４０ａにより連結されている。
【００２９】
保持部５０は、第２のリンク部４２を囲むようにコ字状に形成され、保持部５０の一端は、足踏みレバー２０に固定されている。そして、第１のリンク部４１と第２のリンク部４２とが一直線を越えて「く」の字状になった状態（デッドポイントを超えた状態）で、第２のリンク部４２は、保持部５０の突き当て部５０ａによって保持される。
【００３０】
このように、アーム部４０は、デッドポイントを超えた位置で保持部５０の突き当て部５０ａに突き当たることで、足踏みレバー２０を、ロック状態に維持させることができる。これによって、足踏みレバー２０のロック状態を安定させることができる。
【００３１】
更に、引張りバネ６０は、第１のリンク部４１と架台１１のベース部１１ａとの間に掛け渡され、引張りバネ６０によって、第２のリンク部４２を保持部５０の突き当て部５０ａに強く押し当てることができる。
【００３２】
このように引張りバネ６０の付勢力によって、アーム部４０を、デッドポイントを超えた位置まで確実に誘い込むことができ、アーム部４０の第２のリンク部４２と保持部５０の突き当て部５０ａとの当接状態を確実に維持させることができる。これによって、不用意にロックが解除されることがなく、発泡液注入工程において、金型Ｋ内に発泡液を確実に注入させることができる。
【００３３】
ロック解除レバーＬの先端は、第１のリンク部４１に軸部７０によって連結され、ロック解除レバーＬの後端には、ハンドル部７２が設けられている。そして、ロック解除レバーＬは、架台１１のスタンド部１１ｂに取り付けられたガイド筒７１内を挿通させられている。
【００３４】
図６及び図７に示されるように、ロック状態でロック解除レバーＬを手前側に引くと、第１のリンク部４１が、デッドポイントを超える前の状態に戻るように手前側に向けて回動し、これによって、足踏みレバー２０は、ロック解除状態になり、自重によって金型収容部１２を降下させることができる。このとき、足踏みレバー２０が跳ね上がるが、ガススプリング３３により金型収容部１２はゆっくりと降下することになる。
【００３５】
本発明は、前述した実施形態に限定されないことは言うまでもない。
【００３６】
例えば、バネや液圧シリンダによって金型収容部１２の上昇力をサポートするようにしてもよい。
【００３７】
保持部５０は第１のリンク部４１と第２のリンク部４２の何れを保持してもよい。  
【００３８】
引張りバネ６０は、第１のリンク部４１と第２のリンク部４２の何れに連結されてもよい。
【符号の説明】
【００３９】
１，３０…発泡成形品の製造装置、９…発泡液注入ヘッド、９ａ…ノズル、１１…架台、１１ａ…ベース部、１２…金型収容部、２０…足踏みレバー、２１…足踏み部、２２…作用部、２３…支点、４０…アーム部、４１…第１のリンク部、４２…第２のリンク部、５０…保持部、６０…引張りバネ、Ｋ…金型、Ｌ…ロック解除レバー、Ｒ…ロック機構。
【図１】
2013014038.tif 000003
【図２】
2013014038.tif 000004
【図３】
2013014038.tif 000005
【図４】
2013014038.tif 000006
【図５】
2013014038.tif 000007
【図６】
2013014038.tif 000008
【図７】
2013014038.tif 000009